(57)【要約】【課題】エレベータにおいて、乗りかご内の様子を撮影した画像をより効率よく記録し、記録装置を有効に活用することである。【解決手段】エレベータにおいて、乗りかご３内の様子を撮影する撮影部４０と、乗りかご３内に存在するＩＤ情報を読み取って認証するＩＤ読取認証部３０と、撮影部４０による撮影画像を記録する記録部２０と、ＩＤ読取認証部３０の出力に基づいて記録部２０の制御を行う制御部５０と、を備える。【選択図】図１
2009286550.tif 000002
【特許請求の範囲】
【請求項１】
乗りかご内の様子を撮影する撮影部と、
乗りかご内に存在するＩＤ情報を読み取って認証するＩＤ読取認証部と、
撮影部によって撮影された画像を記録する記録部と、
ＩＤ読取認証部の出力に基づいて記録部の制御を行う制御部と、
を備えることを特徴とするエレベータ。
【請求項２】
請求項１に記載のエレベータにおいて、
記録部は、
撮影部によって撮影された画像が所定の時間間隔で変化している場合に撮影画像を記録することを特徴とするエレベータ。
【請求項３】
請求項１または請求項２に記載のエレベータにおいて、
制御部は、
ＩＤ読取認証部で読み取ったＩＤ情報が予め登録されたＩＤ情報と一致して認証された場合に撮影部によって撮影された画像を記録しないように制御することを特徴とするエレベータ。
【請求項４】
請求項１から請求項３のいずれか１に記載のエレベータにおいて、
ＩＤ読取認証部が読み取ったＩＤ情報の数を数えるＩＤカウント部と、
乗りかご内に存在する乗客の数を数える人数カウント部と、
を備え、
制御部は、
読み取ったＩＤ情報の数と乗りかご内に存在する乗客の数が一致する場合に撮影部によって撮影された画像を記録しないように制御することを特徴とするエレベータ。
【請求項５】
請求項１から請求項３のいずれか１に記載のエレベータにおいて、
ＩＤ読取認証部が読み取ったＩＤ情報の数を数えるＩＤカウント部を備え、
制御部は、
ＩＤ情報の数が少なくとも２つ以上の場合に撮影部によって撮影された画像を記録しないように制御することを特徴とするエレベータ。
【請求項６】
請求項４に記載のエレベータにおいて、
人数カウント部は、撮影部によって撮影された画像を画像解析することによって乗りかご内に存在する乗客の数をカウントすることを特徴とするエレベータ。
【請求項７】
請求項４に記載のエレベータにおいて、
人数カウント部は、乗りかご内秤装置によって乗りかご内に存在する乗客の数をカウントすることを特徴とするエレベータ。
【発明の詳細な説明】
【技術分野】
【０００１】
本発明は、エレベータに係り、特に、乗りかご内の様子を撮影する撮影部を有するエレベータに関する。
【背景技術】
【０００２】
現在、商業施設等においてエレベータが設置されており、様々な人がエレベータを利用している。そのため、乗りかご内には防犯対策として乗りかご内の様子を撮影する防犯カメラが設けられている。例えば、特許文献１には、エレベータかご内に設置され、かご内の乗客を撮影するカメラと、カメラが撮影した記録画像から乗客の暴れ状況を検出する画像監視装置と、画像監視装置が乗客の暴れ状況を検出した時、その検出結果が通知されて記録画像の記録密度を高密度に変更するレコーダ装置と、画像監視装置が乗客の暴れ状況を検出した時、乗客の暴れ検出の状況の程度に応じて警備会社又はオーナへ通知することを特徴とするものが開示されている。
【０００３】
【特許文献１】特開２００７−３１０１７号公報
【発明の開示】
【発明が解決しようとする課題】
【０００４】
上記特許文献１の構成を用いることで、防犯カメラによって乗りかご内の様子を撮影し、防犯カメラが撮影した画像を記録することができる。しかし、乗りかご内の様子を長時間記録するとなると膨大な容量の記録装置が必要となりコストがかさんでしまうという問題がある。
【０００５】
本発明の目的は、乗りかご内の様子を撮影した画像をより効率よく記録し、記録装置を有効に活用することができるエレベータを提供することである。
【課題を解決するための手段】
【０００６】
本発明に係るエレベータは、乗りかご内の様子を撮影する撮影部と、乗りかご内に存在するＩＤ情報を読み取って認証するＩＤ読取認証部と、撮影部によって撮影された画像を記録する記録部と、ＩＤ読取認証部の出力に基づいて記録部の制御を行う制御部と、を備えることを特徴とする。
【０００７】
また、本発明に係るエレベータにおいて、記録部は、撮影部によって撮影された画像が所定の時間間隔で変化している場合に撮影画像を記録することが好ましい。
【０００８】
また、本発明に係るエレベータにおいて、制御部は、ＩＤ読取認証部で読み取ったＩＤ情報が予め登録されたＩＤ情報と一致して認証された場合に撮影部によって撮影された画像を記録しないように制御することが好ましい。
【０００９】
また、本発明に係るエレベータにおいて、ＩＤ読取認証部が読み取ったＩＤ情報の数を数えるＩＤカウント部と、乗りかご内に存在する乗客の数を数える人数カウント部と、を備え、制御部は、読み取ったＩＤ情報の数と乗りかご内に存在する乗客の数が一致する場合に撮影部によって撮影された画像を記録しないように制御することが好ましい。
【００１０】
また、本発明に係るエレベータにおいて、ＩＤ読取認証部が読み取ったＩＤ情報の数を数えるＩＤカウント部を備え、制御部は、ＩＤ情報の数が少なくとも２つ以上の場合に撮影部によって撮影された画像を記録しないように制御することが好ましい。
【００１１】
また、本発明に係るエレベータにおいて、人数カウント部は、撮影部によって撮影された画像を画像解析することによって乗りかご内に存在する乗客の数をカウントすることが好ましい。
【００１２】
また、本発明に係るエレベータにおいて、人数カウント部は、乗りかご内秤装置によって乗りかご内に存在する乗客の数をカウントすることが好ましい。
【発明の効果】
【００１３】
上記構成のエレベータによれば、ＩＤ情報を読み取って認証するＩＤ読取認証部の出力に基づいて撮影画像の記録を制御することができる。これにより、必要な場合にのみ乗りかご内の様子を撮影した画像を記録することで、より効率よく記録することができる。
【００１４】
上記構成の撮影された画像が変化している場合に撮影画像を記録するエレベータによれば、さらに効率よく乗りかご内の様子を撮影した画像を記録することができる。
【００１５】
上記構成のＩＤ情報が予め登録されたＩＤ情報と一致する場合に撮影された画像を記録しないように制御する制御部を有するエレベータによれば、登録されたＩＤ情報を有する乗客が乗りかごに乗っている場合には、暴漢等の可能性が低いとして撮影画像を記録しないとすることができる。これにより、より効率よく乗りかご内の様子を撮影した画像を記録することができる。
【００１６】
上記構成のＩＤ情報の数と乗客の数が一致する場合に撮影部による撮影画像を記録しないように制御する制御部を有するエレベータによれば、乗りかご内の全ての乗客がＩＤ情報を有するＩＣカード等を携帯していれば、暴漢等の可能性が低いとして撮影画像を記録しないとすることができる。これにより、より効率よく乗りかご内の様子を撮影した画像を記録することができる。
【００１７】
上記構成のＩＤ情報の数が少なくとも２つ以上の場合に撮影部によって撮影された画像を記録しないように制御する制御部を有するエレベータによれば、乗りかご内に少なくとも２人以上ＩＤ情報を有するＩＣカード等を携帯する者がいれば、ＩＣカード等を携帯しないその他の乗客が暴漢等となる可能性が低いとして、撮影画像を記録しないとすることができる。これにより、より効率よく乗りかご内の様子を撮影した撮影画像を記録することができる。
【発明を実施するための最良の形態】
【００１８】
以下に、本発明に係る実施の形態について添付図面を参照しながら詳細に説明する。また、この説明において、具体的な形状、材料、数値、方向等は、本発明の理解を容易にするための例示であって、用途、目的、仕様等にあわせて適宜変更することができる。
【００１９】
図１は、本発明の第１実施形態であるエレベータ１０を示す図である。エレベータ１０は、乗りかご３を移動させるために主ロープ７を巻き上げる巻上機（図示せず）とエレベータ制御盤（図示せず）とを含んで構成され、巻上機とエレベータ制御盤とが昇降路の最下部であるいわゆるピット内に設置されている。乗りかご３は、ＩＤ情報を含むＩＣカード９を携帯する乗客４等を行き先階まで移動させるためのものであって、かご操作盤８と、かご扉６と、ＩＤ読取認証部３０と、制御部５０と、記録部２０と、撮影部４０とを含んで構成される。かご操作盤８は、乗りかご３内に設けられ、乗りかご３の行き先を選択する押ボタンや表示パネル等が配置される操作盤である。かご扉６は、乗りかご３が各乗場に着床したときに開く片開き、あるいは両開きの扉である。
【００２０】
ＩＤ読取認証部３０は、ＩＣカード９に含まれたＩＤ情報を読み取り、そのＩＤ情報が予め登録されたＩＤ情報と一致するか否かを判断して認証する機能を有する。ＩＤ読取認証部３０は、乗りかご３の内側壁において乗客４が携帯するＩＣカード９からの電磁波を受信できる位置に設けられる。ＩＤ読取認証部３０は、制御部５０と電気的に接続されている。
【００２１】
撮影部４０は、乗りかご３内の様子を撮影する機能と、暴漢の動き等を最新の画像解析技術で検出する機能とを有する。撮影部４０は、乗りかご３内を撮影した画像を４８００コマに分割、各コマに映っている人の動きの「向き」と「大きさ」を解析することで、暴漢によるトラブル等を検出することができる。具体的には、人が急激に上下左右に動く、または大きく、小さく不規則な動きを繰り返すなどの通常ではない現象が起きた場合には、「異常行動」があったと判断し、制御部５０に対して出力する。撮影部４０は、乗りかご３内の天井であって乗りかご３内の全域を撮影できるように取り付けられている。
【００２２】
記録部２０は、撮影部４０によって撮影された画像を記録する記録装置である。記録部２０は、乗りかご３の天井部分に設けられ、制御部５０の制御に基づき撮影部４０によって撮影された画像を記録する機能を有する。記録部２０は、撮影部４０によって撮影された画像が所定の時間間隔で変化している場合に撮影画像を記録する機能を有する。記録部２０は、撮影部４０と制御部５０と電気的に接続されている。
【００２３】
制御部５０は、記録部２０とＩＤ読取認証部３０と電気的に接続され、ＩＤ読取認証部３０によって読み取ったＩＤ情報が予め登録されたＩＤ情報と一致していると認証すれば、記録部２０に対し撮影部４０によって撮影された画像を記録しないように制御する機能を有する。
【００２４】
続いて、上記構成からなるエレベータ１０の動作について図１、図２を参照して説明する。図２は、エレベータ１０において撮影部４０が撮影した画像を効率よく記録する手順を示すフローチャートである。まず、撮影部４０は、乗りかご３内の様子を撮影している（Ｓ２）。
【００２５】
次に、撮影部４０によって撮影された画像が所定の時間間隔において変化しているか否かを判断する（Ｓ４）。乗りかご３内に乗客４等が乗り込んでいない状況等、つまり乗りかご３内の画像が変化していない場合は、所定の時間を経過させた後、再びＳ４に戻る。一方、乗りかご３内に乗客４等が乗り込んでいる状況等、つまり乗りかご３内の画像が変化している場合は、読み取られたＩＤ情報が予め登録されたＩＤ情報と一致するか否かが判断される（Ｓ７）。
【００２６】
ＩＤ情報が予め登録されたＩＤ情報と一致すると判断された場合には、ＥＮＤ処理へと進む。ＩＤ情報が予め登録されたＩＤ情報と一致しないと判断された場合には、記録部２０は、撮影部４０によって撮影された画像を記録する（Ｓ１０）。なお、ＩＣカード９を有しない乗客４であればＩＤ情報はないため、予め登録されたＩＤ情報と一致しないようなデフォルト設定のＩＤ情報との比較を行うことでＳ１０へ進むこととなる。
【００２７】
上記のように、予め登録されたＩＤ情報を含むＩＣカード９を携帯する乗客４が乗りかご３に乗っている場合には、暴漢等の可能性が低いとして撮影画像を記録しないとすることができる。これにより、より効率よく乗りかご３内の様子を撮影した画像を記録することができる。
【００２８】
次に、図３を参照して本発明の第２実施形態であるエレベータ１１について説明する。図３は、本発明の第２実施形態であるエレベータ１１を示す図である。ここで、エレベータ１１は、上記第１実施形態のエレベータ１０とほぼ同様の構成を有するため、同一構成要素には同一符号を付して重複することとなる説明を援用によって省略し、異なる構成およびその作用について説明する。エレベータ１１は、制御部５１と、ＩＤ読取認証部３１とがエレベータ１０と相違するため、以下では、特に、制御部５１、ＩＤ読取認証部３１について詳細な説明を行う。
【００２９】
ＩＤ読取認証部３１は、さらに、読み取ったＩＤ情報の数をカウントする機能を有する。制御部５１は、ＩＤ読取認証部３１がカウントしたＩＤ情報の数が２個以上の場合には記録部２０に対し、撮影部４０によって撮影された画像を記録しないように制御する機能を有する。
【００３０】
続いて、上記構成からなるエレベータ１１の動作について図３、図４を参照して説明する。図４は、エレベータ１１において撮影部４０が撮影した画像を効率よく記録する手順を示すフローチャートである。エレベータ１１は、エレベータ１０と同様にまずＳ２，Ｓ４の手順を実行する。
【００３１】
ＩＤ読取認証部３１がカウントしたＩＤ情報の個数を取得する（Ｓ５）。ＩＤ情報の数が２個以上か否かを判断する（Ｓ９）。ＩＤ読取認証部３１によってカウントされたＩＤ情報の数が２個以上である場合には、ＥＮＤ処理へと進む。ＩＤ読取認証部３１によってカウントされたＩＤ情報の数が２個以上でなければ撮影部４０が撮影した画像を記録する（Ｓ１０）。
【００３２】
上記のように、乗りかご３内に少なくとも２人以上ＩＤ情報を有するＩＣカード９等を携帯する者がいれば、ＩＣカード９を携帯しないその他の乗客４が暴漢等となる可能性が低いとして撮影された画像を記録しないとすることができる。これにより、より効率よく乗りかご３内の様子を撮影した画像を記録することができる。
【００３３】
次に、図５を参照して本発明の第３実施形態であるエレベータ１２について説明する。図５は、本発明の第３実施形態であるエレベータ１１を示す図である。ここで、エレベータ１２は、上記第２実施形態のエレベータ１１とほぼ同様の構成を有するため、同一構成要素には同一符号を付して重複することとなる説明を援用によって省略し、異なる構成およびその作用について説明する。エレベータ１２は、制御部５２と、撮影部４２とがエレベータ１１と相違するため、以下では、特に、制御部５２、撮影部４２について詳細な説明を行う。
【００３４】
撮影部４２は、さらに、あらかじめ乗りかご３内の輝度（明るさ）パターンを記憶し、乗客４が乗りかご３に乗ることで生じる輝度パターンの変化をとられた画像解析を利用して、乗客４を検出し人数を数える人数カウント機能を有する。
【００３５】
制御部５２は、ＩＤ読取認証部３１がカウントしたＩＤ情報の数と、撮影部４２がカウントした乗客４の数とを比較する。そして、その数が一致する場合に、制御部５２は、記録部２０に対し、撮影部４２によって撮影された画像を記録しないように制御する機能を有する。
【００３６】
続いて、上記構成からなるエレベータ１２の動作について図５、図６を参照して説明する。図６は、エレベータ１２において撮影部４２が撮影した画像を効率よく記録する手順を示すフローチャートである。エレベータ１２は、エレベータ１１と同様にまずＳ２〜Ｓ５の手順を実行する。
【００３７】
次に、撮影部４２によってカウントした乗客４の数を取得する（Ｓ６）。そして、ＩＤ情報の個数と乗客４の数とが一致しているか否かを判断する（Ｓ８）。
【００３８】
ＩＤ情報の個数と乗客４の数が一致している場合には、ＥＮＤ処理へと進む。ＩＤ情報の個数と乗客４の数が一致しない場合は、記録部２０は、撮影部４２によって撮影された画像を記録する（Ｓ１０）。
【００３９】
上記のように、乗りかご３内の全ての乗客４がＩＤ情報を有するＩＣカード９等を携帯していれば、暴漢等の可能性が低いとして撮影画像を記録しないことができる。これにより、より効率よく乗りかご３内の様子を撮影した画像を記録することができる。
【００４０】
また、上記では、画像解析を利用して乗りかご３内に存在する乗客４の数を数えるものとして説明したが、乗りかご３内の積載重量を測定する乗りかご内秤装置によって乗りかご内に存在する乗客の数をカウントしてもよい。具体的には、乗りかご内秤装置によって測定される重さを例えば６０ｋｇで除算した値から人数を算出するものとしてもよい。
【図面の簡単な説明】
【００４１】
【図１】本発明の第１実施形態であるエレベータを示す図である。
【図２】エレベータにおいて撮影部が撮影した画像を効率よく記録する手順を示すフローチャートである。
【図３】本発明の第２実施形態であるエレベータを示す図である。
【図４】エレベータにおいて撮影部が撮影した画像を効率よく記録する手順を示すフローチャートである。
【図５】本発明の第３実施形態であるエレベータを示す図である。
【図６】エレベータにおいて撮影部が撮影した画像を効率よく記録する手順を示すフローチャートである。
【符号の説明】
【００４２】
４  乗客、６  かご扉、７  主ロープ、８  かご操作盤、９  ＩＣカード、１０，１１，１２  エレベータ、２０  記録部、３０，３１  ＩＤ読取認証部、４０，４２  撮影部、５０，５１，５２  制御部。
【図１】
2009286550.tif 000003
【図２】
2009286550.tif 000004
【図３】
2009286550.tif 000005
【図４】
2009286550.tif 000006
【図５】
2009286550.tif 000007
【図６】
2009286550.tif 000008